(57)【要約】  ＭＡＣプロトコルを使用して共有無線媒体へのアクセスを調整するように構成されたＭＡＣレイヤと、共有無線媒体へのインタフェースを提供するように構成されたＰＨＹレイヤと、ＭＡＣレイヤとＰＨＹレイヤとの間のＨＡＲＱレイヤとを有し、ＨＡＲＱレイヤが、ＭＡＣプロトコルを使用してＨＡＲＱを支援するように構成された無線ノード。
2011517162.tif 000002
【特許請求の範囲】
【請求項１】
通信装置であって、
ＭＡＣプロトコルを使用して共有無線媒体へのアクセスを調整するように構成されたＭＡＣレイヤと、
前記共有無線媒体へのインタフェースを提供するように構成されたＰＨＹレイヤと、
前記ＭＡＣレイヤと前記ＰＨＹレイヤの間のＨＡＲＱレイヤと
を備え、前記ＨＡＲＱレイヤが、前記ＭＡＣプロトコルを使用してＨＡＲＱを支援するように構成された通信装置。
【請求項２】
前記ＭＡＣプロトコルが、ＩＥＥＥ８０２．１１プロトコルを備える請求項１に記載の装置。
【請求項３】
前記ＨＡＲＱレイヤが、ピア・ノードがＨＡＲＱ対応であるかを判定するために、前記ピア・ノードと通信するように更に構成された請求項１に記載の装置。
【請求項４】
送信ノードを備え、前記ＨＡＲＱレイヤは、受信ノードがＨＡＲＱ対応であるかを判定するために、前記受信ノードと通信するように更に構成された請求項１に記載の装置。
【請求項５】
前記受信ノードがＨＡＲＱ対応である場合に、前記ＨＡＲＱレイヤが、ＨＡＲＱを支援するためにプロトコル及び順序回路をセット・アップするように更に構成された請求項４に記載の装置。
【請求項６】
受信ノードを備え、前記ＨＡＲＱレイヤは、ＨＡＲＱを要求するメッセージを送信ノードから受信し、前記メッセージに応じてＨＡＲＱを支援するためにプロトコル及び順序回路をセット・アップするように更に構成された請求項１に記載の装置。
【請求項７】
送信ノードを備え、前記ＨＡＲＱレイヤは、ＨＡＲＱセッションＩＤを、受信ノードと共に維持される各ＨＡＲＱセッションに割り当てるように更に構成された請求項１に記載の装置。
【請求項８】
受信ノードを備え、前記ＨＡＲＱレイヤは、各々がＨＡＲＱセッションＩＤを有する複数のデータ・パケットを受信するようにと、前記データ・パケットを構成及び識別するために、前記ＨＡＲＱセッションＩＤを使用するように更に構成された請求項１に記載の装置。
【請求項９】
前記ＨＡＲＱが、前記ハイブリッドＡＲＱのための符号化スキームをネゴシエートするために、ピア・ノードと通信するように更に構成された請求項１に記載の装置。
【請求項１０】
前記ネゴシエートされた符号化スキームが、ターボ符号化、ＬＤＰＣ、チェイス結合、あるいはそれらの任意の組合せを備える請求項９に記載の装置。
【請求項１１】
前記ＨＡＲＱレイヤが、ピア・ノードへの送信のために前記ＭＡＣレイヤからデータ・パケットを受信し、前記データ・パケットが以前に送信されているかを判定するように更に構成された請求項１に記載の装置。
【請求項１２】
前記データ・パケットが以前に送信されていないと判定された場合に、前記ＨＡＲＱレイヤが、システマティック・シンボル及びパリティ・シンボルを生成するために前記データ・パケットを符号化し、前記システマティック・シンボルを、送信のために前記ＰＨＹレイヤに提供し、前記パリティ・シンボルの少なくとも一部を格納するように更に構成された請求項１１に記載の装置。
【請求項１３】
前記ＭＡＣレイヤによって受信され、前記ピア・ノードが前記ＰＨＹレイヤによって送信された前記データ・パケットを正しく復号したことを示すアクノレッジメントに応じて、前記ＨＡＲＱレイヤが、前記パリティ・シンボルの少なくとも一部を記憶装置から取り除くように更に構成された請求項１２に記載の装置。
【請求項１４】
前記データ・パケットが以前に送信されていると判定された場合、前記ＨＡＲＱレイヤが、前記以前の送信のうちの最初の送信のためのデータ・パケットを符号化することから生成されたパリティ・シンボルのうちの少なくとも一部を記憶装置から検索し、前記パリティ・シンボルのうちの少なくとも一部を、送信のために前記ＰＨＹレイヤに提供するように更に構成された請求項１１に記載の装置。
【請求項１５】
前記ＨＡＲＱレイヤが、前記ＭＡＣレイヤによって受信されたブロック・アクノレッジメントに応じて、前にデータ・ケットが、以前に送信されているかを判定するように、更に構成された請求項１４に記載の装置。
【請求項１６】
前記ＨＡＲＱレイヤが、ピア・ノードによって送信されたデータ・パケットを前記ＰＨＹレイヤから受信し、前記データ・パケットを復号し、前記復号されたデータ・パケットを前記ＭＡＣレイヤに提供するように更に構成された請求項１に記載の方法。
【請求項１７】
前記データ・パケットが複数のシンボルを含み、前記ＨＡＲＱレイヤは、前記データ・パケット内のシンボルを、前記データ・パケットの１あるいは複数の以前の送信に関連付けられた前記ＨＡＲＱレイヤによって受信された任意のシンボルと結合させることによって、前記データ・パケットを復号するように更に構成された請求項１６に記載の装置。
【請求項１８】
前記ＨＡＲＱレイヤは、前記データ・パケットが前記ＨＡＲＱデータによって正しく復号されなかったことを示すＭＡＣレイヤからのインジケーションに応じて、前記データ・パケットの１あるいは複数の今後の送信と結合させるための前記データ・パケット内のシンボルを格納するように更に構成された請求項１７に記載の装置。
【請求項１９】
前記ＨＡＲＱレイヤは、前記データ・パケットが前記ＨＡＲＱレイヤによって正しく復号されたことを示すＭＡＣレイヤからのインジケーションに応じて、前記データ・パケットの１あるいは複数の以前の送信に関連付けられたＨＡＲＱレイヤによって受信された任意のシンボルを、記憶装置から取り除くように更に構成された請求項１７に記載の装置。
【請求項２０】
前記ＨＡＲＱレイヤは、データ・パケットのためのＰＨＹレイヤ・ヘッダと結合されたＨＡＲＱヘッダを支援するように更に構成され、前記データ・パケットが、前記ＭＡＣプロトコルに従う請求項１に記載の装置。
【請求項２１】
前記ＨＡＲＱレイヤは、ピア・ノードへの送信のためのデータ・パケットを前記ＭＡＣレイヤから受信し、前記データ・パケットのためのＨＡＲＱヘッダを生成するように更に構成された請求項１に記載の装置。
【請求項２２】
前記ＨＡＲＱヘッダが、前記データ・パケットが以前に送信された回数を示す送信数を備える請求項２１に記載の装置。
【請求項２３】
前記ＨＡＲＱヘッダが、前記データ・パケットに対応する長さを備える請求項２１に記載の装置。
【請求項２４】
通信方法であって、
ＭＡＣプロトコルを使用して共有無線媒体へのアクセスを調整することと、
前記共有無線媒体へのインタフェースを提供することと、
前記ＭＡＣプロトコルを使用してＨＡＲＱを支援することと
を備える通信方法。
【請求項２５】
前記ＭＡＣプロトコルが、ＩＥＥＥ８０２．１１プロトコルを備える請求項２４に記載の方法。
【請求項２６】
前記ＨＡＲＱを支援することが、ピア・ノードがＨＡＲＱ対応であるかを判定するために、前記ピア・ノードと通信することを備える請求項２４に記載の方法。
【請求項２７】
前記ＨＡＲＱを支援することが、受信ノードがＨＡＲＱ対応であるかを判定するために、送信ノードから前記受信ノードへ通信することを備える請求項２４に記載の方法。
【請求項２８】
前記ＨＡＲＱを支援することが、前記受信ノードがＨＡＲＱ対応である場合にＨＡＲＱを支援するために、前記送信ノードにおいてプロトコル及び順序回路をセット・アップすることを更に備える請求項２７に記載の方法。
【請求項２９】
前記ＨＡＲＱを支援することが、ＨＡＲＱを要求する送信ノードからのメッセージを受信ノードにおいて受信することと、前記メッセージに応じて、ＨＡＲＱを支援するためにプロトコル及び順序回路をセット・アップすることとを備える。
【請求項３０】
前記ＨＡＲＱを支援することが、送信ノードにおいて、受信ノードと共に維持される各ＨＡＲＱセッションに、ＨＡＲＱセッションＩＤを割り当てることを備える請求項２４に記載の方法。
【請求項３１】
前記ＨＡＲＱを支援することが、複数のデータ・パケットを受信ノードで受信することを備え、前記データ・パケットの各々は、ＨＡＲＱセッションＩＤを有し、前記ＨＡＲＱを支援することは更に、前記データ・パケットを構成及び識別するために、前記ＨＡＲＱセッションＩＤを使用することを備える請求項２４に記載の方法。
【請求項３２】
前記ＨＡＲＱを支援することが、ＡＲＱのための符号化スキームをネゴシエートするために、ピア・ノードと通信することを備える請求項２４に記載の方法。
【請求項３３】
前記ネゴシエートされた符号化スキームが、ターボ符号化、ＬＤＰＣ、チェイス結合、あるいはそれらの任意の組合せを備える請求項３２に記載の方法。
【請求項３４】
前記ＨＡＲＱを支援することが、ピア・ノードへの送信のために前記ＭＡＣレイヤからデータ・パケットを受信することと、前記データ・パケットが以前に送信されているかを判定することとを備える請求項２４に記載の方法。
【請求項３５】
前記ＨＡＲＱを支援することが、前記データ・パケットが以前に送信されていないと判定することと、システマティック・シンボル及びパリティ・シンボルを生成するために前記データ・パケットを符号化することと、前記システマティック・シンボルを送信のためにＰＨＹレイヤに提供することと、前記パリティ・シンボルの少なくとも一部を格納することとを更に備える請求項３４に記載の方法。
【請求項３６】
前記ＭＡＣレイヤによって受信され、前記ピア・ノードが前記ＰＨＹレイヤによって送信されたデータ・パケットを正しく復号したことを示すアクノレッジメントに応じて、前記ＨＡＲＱを支援することが、前記パリティ・シンボルの少なくとも一部を記憶装置から取り除くことを更に備える請求項３５に記載の方法。
【請求項３７】
前記ＨＡＲＱを支援することが、前記データ・パケットが以前に送信されたと判定することと、前記以前の送信のうちの最初の送信のためのデータ・パケットを符号化することから生成されたパリティ・シンボルの少なくとも一部を記憶装置から検索することと、前記パリティ・シンボルの少なくとも一部を送信のためにＰＨＹレイヤに提供することとを更に備える請求項３４に記載の方法。
【請求項３８】
前記ＨＡＲＱを支援することが、前記データ・パケットがＭＡＣレイヤによって受信されたブロック・アクノレッジメントに応じて、前記データ・パケットが以前に送信されているかを判定することを備える請求項２４に記載の方法。
【請求項３９】
前記ＨＡＲＱを支援することが、ピア・ノードによって送信されたデータ・パケットをＰＨＹレイヤから受信することと、前記データ・パケットを復号することと、前記復号されたデータ・パケットをＭＡＣレイヤに提供することとを備える請求項２４に記載の方法。
【請求項４０】
前記データ・パケットが複数のシンボルを含み、前記ＨＡＲＱを支援することは、前記データ・パケット内のシンボルを、前記データ・パケットの１あるいは複数の以前の送信に関連付けられた任意の受信されたシンボルと結合させることによって、前記データ・パケットを復号することを更に備える請求項３９に記載の方法。
【請求項４１】
前記ＨＡＲＱを支援することが、前記データ・パケットが正しく復号されなかったことを示すＭＡＣレイヤからのインジケーションに応じて、前記データ・パケット内のシンボルを、前記データ・パケットの１あるいは複数の今後の送信と結合させるために格納することを更に備える請求項４０に記載の方法。
【請求項４２】
前記ＨＡＲＱを支援することが、前記データ・パケットが正しく復号されたことを示すＭＡＣレイヤからのインジケーションに応じて、前記データ・パケットの１あるいは複数の以前の送信に関連付けられた任意の受信されたシンボルを記憶装置から取り除くことを更に備える請求項４０に記載の方法。
【請求項４３】
前記ＨＡＲＱを支援することが、データ・パケットのためのＰＨＹレイヤ・ヘッダと結合されたＨＡＲＱヘッダ支援することを備え、前記データ・パケットが、前記ＭＡＣプロトコルに従う請求項２４に記載の方法。
【請求項４４】
前記ＨＡＲＱを支援することが、ピア・ノードへの送信のためのデータ・パケットをＭＡＣレイヤから受信することと、前記データ・パケットのためのＨＡＲＱヘッダを生成することとを備える請求項２４に記載の方法。
【請求項４５】
前記ＨＡＲＱヘッダが、前記データ・パケットが以前に送信された回数を示す送信数を備える請求項４４に記載の方法。
【請求項４６】
前記ＨＡＲＱヘッダが、前記データ・パケットに対応する長さを備える請求項４４に記載の方法。
【請求項４７】
通信装置であって、
ＭＡＣプロトコルを使用して共有無線媒体へのアクセスを調整する手段と、
前記共有無線媒体へのインタフェースを提供する手段と、
前記ＭＡＣプロトコルを使用してＨＡＲＱを支援する手段とを備える装置。
【請求項４８】
前記ＭＡＣプロトコルが、ＩＥＥＥ８０２．１１プロトコルを備える請求項４７に記載の装置。
【請求項４９】
前記ＨＡＲＱを支援する手段が、ピア・ノードがＨＡＲＱ対応であるかを判定するために、前記ピア・ノードと通信する手段を備える請求項４７に記載の装置。
【請求項５０】
前記ＨＡＲＱを支援する手段が、受信ノードがＨＡＲＱ対応であるかを判定するために、前記受信ノードと通信する手段を備える請求項４７に記載の装置。
【請求項５１】
前記ＨＡＲＱを支援する手段が、前記受信ノードがＨＡＲＱ対応である場合に、ＨＡＲＱを支援するために、プロトコル及び順序回路をセット・アップする手段を更に備える請求項５０に記載の装置。
【請求項５２】
前記ＨＡＲＱを支援する手段が、ＨＡＲＱを要求する送信ノードからメッセージを受信する手段と、前記メッセージに応じて、ＨＡＲＱを支援するためにプロトコル及び順序回路をセット・アップする手段とを備える請求項４７に記載の装置。
【請求項５３】
前記ＨＡＲＱを支援する手段が、ＨＡＲＱセッションＩＤを、受信ノードと共に維持される各ＨＡＲＱセッションに割り当てる手段を備える請求項４７に記載の装置。
【請求項５４】
前記ＨＡＲＱを支援する手段が、複数のデータ・パケットを受信ノードで受信する手段を備え、前記データ・パケットの各々はＨＡＲＱセッションＩＤを有し、前記ＨＡＲＱを支援する手段は更に、前記データ・パケットを構成及び識別するために、前記ＨＡＲＱセッションＩＤを使用する手段を備える請求項４７に記載の装置。
【請求項５５】
前記ＨＡＲＱを支援する手段が、前記ＡＲＱのための符号化スキームをネゴシエートするために、ピア・ノードと通信することを備える請求項４７に記載の装置。
【請求項５６】
前記ネゴシエートされた符号化スキームが、ターボ符号化、ＬＤＰＣ、チェイス結合、あるいはそれらの任意の組み合わせを備える請求項５５に記載の方法。
【請求項５７】
前記ＨＡＲＱを支援する手段が、ピア・ノードへの送信のためにＭＡＣレイヤからデータ・パケットを受信する手段と、前記データ・パケットが以前に送信されているかを判定する手段とを備える請求項４７に記載の装置。
【請求項５８】
前記データ・パケットが以前に送信されていない場合に、前記ＨＡＲＱを支援する手段が、システマティック・シンボル及びパリティ・シンボルを生成するために前記データ・パケットを符号化する手段と、前記システマティック・シンボルを、送信のために前記ＰＨＹレイヤに提供する手段と、前記パリティ・シンボルの少なくとも一部を格納する手段とを備える請求項５７に記載の装置。
【請求項５９】
前記ＨＡＲＱレイヤを支援する手段が、ＭＡＣレイヤによって受信され、前記ピア・ノードが前記ＰＨＹレイヤによって送信された前記データ・パケットを正しく復号したことを示すアクノレッジメントに応じて、前記パリティ・シンボルの少なくとも一部を記憶装置から取り除く手段を更に備える請求項５８に記載の装置。
【請求項６０】
前記データ・パケットが以前に送信されている場合、前記ＨＡＲＱレイヤを支援する手段が、前記以前の送信のうちの最初の送信のためのデータ・パケットを符号化することから生成されたパリティ・シンボルの少なくとも一部を記憶装置から検索する手段と、前記パリティ・シンボルの少なくとも一部を、送信のためにＰＨＹレイヤに提供する手段とを更に備える請求項５７に記載の装置。
【請求項６１】
前記ＨＡＲＱを支援する手段が、ＭＡＣレイヤによって受信されたブロック・アクノレッジメントに応じて、前記データ・パケットが以前に送信されているかを判定する手段を備える請求項４７に記載の装置。
【請求項６２】
前記ＨＡＲＱを支援する手段が、ピア・ノードによって送信されたデータ・パケットをＰＨＹレイヤから受信する手段と、前記データ・パケットを復号する手段と、前記復号されたデータ・パケットをＭＡＣレイヤに提供する手段とを備える請求項４７に記載の装置。
【請求項６３】
前記データ・パケットが複数のシンボルを含み、前記ＨＡＲＱを支援する手段は、前記データ・パケット内のシンボルを、前記データ・パケットの１あるいは複数の以前の送信に関連付けられた任意の受信されたシンボルと結合させることによって、前記データ・パケットを復号する手段を更に備える請求項６２に記載の装置。
【請求項６４】
前記ＨＡＲＱを支援する手段が、前記データ・パケットが正しく復号されなかったことを示すＭＡＣレイヤからのインジケーションに応じて、前記データ・パケット内のシンボルを、前記データ・パケットの１あるいは複数の今後の送信と結合させるために、格納するように更に構成された請求項１７に記載の装置。
【請求項６５】
前記ＨＡＲＱを支援する手段が、前記データ・パケットが正しく復号されたことを示すＭＡＣレイヤからのインジケーションに応じて、前記データ・パケットの１あるいは複数の以前の送信に関連付けられた前記任意の受信されたシンボルを、記憶装置から取り除く手段を更に備える請求項６３に記載の装置。
【請求項６６】
前記ＨＡＲＱを支援する手段が、データ・パケットのためのＰＨＹレイヤ・ヘッダと結合されたＨＡＲＱヘッダを支援する手段を備え、前記データ・パケットが、前記ＭＡＣプロトコルに従う請求項４７に記載の装置。
【請求項６７】
前記ＨＡＲＱを支援する手段が、ピア・ノードへの送信のためのデータ・パケットをＭＡＣレイヤから受信する手段と、前記データ・パケットのためのＨＡＲＱヘッダを生成する手段とを備える請求項４７に記載の装置。
【請求項６８】
前記ＨＡＲＱヘッダが、前記データ・パケットが以前に送信された回数を示す送信数を備える請求項６７に記載の装置。
【請求項６９】
前記ＨＡＲＱヘッダが、前記データ・パケットに対応する長さを備える請求項６７に記載の装置。
【請求項７０】
処理システムによって実行可能な命令群を備える機械読取可能媒体を備える、通信のためのコンピュータ・プログラム製品であって、前記命令群は、
ＭＡＣプロトコルを使用して共有無線媒体へのアクセスを調整し、
前記共有無線媒体へのインタフェースを提供し、
前記ＭＡＣプロトコルを使用してＨＡＲＱを支援する
ように、処理システムによって実行可能な命令群であるコンピュータ・プログラム製品。
【請求項７１】
アクセス端末であって、
ユーザ・インタフェースと、
前記ユーザ・インタフェースを支援するように構成されたアプリケーション・レイヤと、
前記アプリケーション・レイヤを支援するために、ＭＡＣプロトコルを使用して共有無線媒体へのアクセスを調整するように構成されたＭＡＣレイヤと、
前記共有無線媒体へのインタフェースを提供するように構成されたＰＨＹレイヤと、
前記ＭＡＣレイヤとＰＨＹレイヤとの間のＨＡＲＱレイヤと
を備え、前記ＨＡＲＱレイヤは、前記ＭＡＣプロトコルを使用してＨＡＲＱを支援するように構成されたアクセス端末。
【請求項７２】
アクセス・ポイントであって、
ピア・ノードのための、ネットワークへの逆送接続を支援するように構成された無線ネットワーク・アダプタと、
前記ピア・ノードとの通信を支援するために、ＭＡＣプロトコルを使用して共有無線媒体へのアクセスを調整するように構成されたＭＡＣレイヤと、
前記共有無線媒体へのインタフェースを提供するように構成されたＰＨＹレイヤと、
前記ＭＡＣレイヤとＰＨＹレイヤとの間のＨＡＲＱレイヤと
を備え、前記ＨＡＲＱレイヤは、前記ＭＡＣプロトコルを使用してＨＡＲＱを支援するように構成されたアクセス・ポイント。
【発明の詳細な説明】
【技術分野】
【０００１】
本開示は、一般に、無線通信に関する。特に、限定しないが、ＭＡＣベースのフィードバックを用いてＷＬＡＮプロトコルにハイブリッドＡＲＱを追加する技術に関する。
【背景技術】
【０００２】
自動再送要求（ＡＲＱ）スキームにおいて、受信機への送信の前に、誤り検出符号が、符号化されたデータ・パケットに追加される。この受信機は、パケットを復号しようと試み、これが成功したか否かを判定するために、誤り検出符号を使用する。正しく復号された場合、受信機はアクノレッジメント（ＡＣＫ）を送信機に送り返す。正しく復号されなかった場合、受信機は、ネガティブ・アクノレッジメント（ＮＡＣＫ）を送信機に送り返し、データ・パケットの再送信を要求する。誤り検出符号の一般的な例は、循環冗長検査（ＣＲＣ）符号である。
【０００３】
誤り検出符号に加えて、データ・パケットは、誤り訂正符号を用いて更に保護されうる。誤り訂正符号化は、一般的に、データ・パケット内の各ビットのために、いくつかのシンボルを生成することを含む。これらのシンボルは、「システマティック・シンボル」及び「パリティ・シンボル」を含む。システマティック・シンボルは、データ・パケット内のビットを表し、パリティ・シンボルは冗長性を提供する。この冗長性は、通信チャネルにおける妨害による送信時の誤りを訂正するために、受信機によって使用されうる。誤り検出符号は、受信機がデータ・パケットを正しく復号（すなわち、全ての送信誤りを訂正）できたか否かを判定するために使用されうる。この判定に基づいて、受信機は、ＡＣＫベースのプロトコルを使用して送信機にフィードバックを提供する。この技術は、しばしばハイブリッドＡＲＱ（ＨＡＲＱ）とも称される。
【０００４】
増分冗長は、より高度なタイプのＨＡＲＱである。これは、変動するチャネル条件を伴う環境において、よりロバストになるように設計されている。増分冗長が使用される場合、第１の送信は、誤り検出を伴うシステマティック・シンボルのみを含む。この送信が受信機によって正しく復号されると、ＡＣＫが受信機に送り返される。受信機が送信を復号できない場合、第２の送信は、誤り検出を伴う選択された数のパリティ・シンボルを含むだろう。システマティック・シンボルを送信されたパリティ・シンボルと結合させることによって、受信機において復号が再び試みられる。再送信が要求されると、誤り検出を伴う追加のパリティ・シンボルを、送信機が送信する。この手順は、全てのパリティ・シンボルが送信されるまで繰り返される。
【０００５】
近年、ＩＥＥＥ８０２．１１等のような無線ローカル・エリア・ネットワーク（ＷＬＡＮ）の展開において、驚異的な成長が見られる。これらのネットワークがより一般的になり、互いに近接して動作し始めたことにより、周波数の再利用が、効率的な媒体利用を確かにするために次第に重要となっていくだろう。このような周波数の再利用は、受信機における信号対雑音比（ＳＮＲ）が急速に変動する原因となるだろう。現在の畳込み符号は、ＳＮＲにおけるこのような変動に対してロバストではなく、その結果、データ・パケット送信の大部分が、受信機によって破棄されねばならず、もって、ネットワーク効率は低減する。
【０００６】
従って、当該技術において、ＩＥＥＥ８０２．１１等のようなＷＬＡＮのための無線送信プロトコルに、ＨＡＲＱを追加する必要がある。しかし、ＡＣＫベースのプロトコルがＭＡＣレイヤにおいて実施される多くのＷＬＡＮにおいて、現在の技術はＨＡＲＱの実施を支援しない。
【発明の概要】
【０００７】
本開示の１つの態様において、無線通信のための装置は、ＭＡＣプロトコルを使用して、共有無線媒体へのアクセスを調整するように構成されたＭＡＣレイヤと、共有無線媒体へのインタフェースを提供するように構成されたＰＨＹレイヤと、ＭＡＣレイヤ及びＰＨＹレイヤの間のＨＡＲＱレイヤとを含み、このＨＡＲＱレイヤは、ＭＡＣプロトコルを使用してＨＡＲＱを支援するように構成されている。
【０００８】
本開示の別の態様において、無線通信のための方法は、ＭＡＣプロトコルを使用して共有無線媒体へのアクセスを調整することと、共有無線媒体へのインタフェースを提供することと、ＭＡＣプロトコルを使用してＨＡＲＱを支援することとを含む。
【０００９】
本開示の更に別の態様において、無線通信のための装置は、ＭＡＣプロトコルを使用して共有無線媒体へのアクセスを調整する手段と、共有無線媒体へのインタフェースを提供する手段と、ＭＡＣプロトコルを使用してＨＡＲＱを支援する手段とを含む。
【００１０】
本開示の更なる態様において、無線通信のためのコンピュータ・プログラム製品は、ＭＡＣプロトコルを使用して共有無線媒体へのアクセスを調整し、共有無線媒体へのインタフェースを提供し、ＭＡＣプロトコルを使用してＨＡＲＱを支援するように処理システムによって実行可能な命令群を備える機械読取可能媒体を含む。
【００１１】
本開示の更なる態様において、無線通信のためのアクセス端末は、ユーザ・インタフェースと、ユーザ・インタフェースを支援するように構成されているアプリケーション・レイヤと、アプリケーション・レイヤを支援するために、ＭＡＣプロトコルを使用して共有無線媒体へのアクセスを調整するように構成されたＭＡＣレイヤと、共有無線媒体へのインタフェースを提供するように構成されたＰＨＹレイヤと、ＭＡＣレイヤ及びＰＨＹレイヤの間のＨＡＲＱレイヤとを含み、ＨＡＲＱレイヤは、ＭＡＣプロトコルを使用してＨＡＲＱを支援するように構成されている。
【００１２】
本開示の更に別の態様において、アクセス・ポイントは、ピア・ノードのための、ネットワークへの逆送を支援するように構成された無線ネットワーク・アダプタと、ピア・ノードとの通信を支援するために、ＭＡＣプロトコルを使用して共有無線媒体へのアクセスを調整するように構成されたＭＡＣレイヤと、共有無線媒体へのインタフェースを提供するように構成されたＰＨＹレイヤと、ＭＡＣレイヤ及びＰＨＹレイヤの間のＨＡＲＱレイヤとを含み、このＨＡＲＱレイヤは、ＭＡＣプロトコルを使用してＨＡＲＱを支援するように構成されている。
【００１３】
例示のために示され説明されている以下の詳細な説明から、本発明のその他の態様が、当業者に対して容易に明らかになるだろうということが理解される。後に明らかになるように、本発明について、その他の異なる構成及び実施例が可能であり、それらいくつかの詳細は、その他多様な点における変形例が、本開示の範囲から逸脱することなく可能である。従って、図面及び詳細な説明は、限定的ではなく、本質的に例示的と見なされるべきである。
【図面の簡単な説明】
【００１４】
無線通信システムの多様な態様が、添付の図面において、限定のためではなく、実例のために例示されている。
【図１】図１は、無線ネットワークの実例を例示する概念的ブロック図である。
【図２】図２は、無線ノードのためのプロトコル・スタックの実例を例示する概念図である。
【図３】図３は、ＨＡＲＱを有する送信ノードのためのプロトコル・スタックの実例を例示する概念図である。
【図４】図４は、ＰＨＹレイヤ・フレームの実例を例示する概念図である。
【図５】図５は、ＨＡＲＱを有する受信ノードのためのプロトコル・スタックの実例を例示する概念図である。
【図６】図６は、無線ノードの機能の実例を例示するブロック図である。
【図７】図７は、無線ノードにおける処理システムの機能の実例を例示するブロック図である。
【発明を実施するための形態】
【００１５】
本開示の多様な態様が、下記で説明される。本明細書における教示が、多種多様な形態で実施されうるということと、本明細書で開示される任意の構造や機能、あるいはそれらの両方が、典型に過ぎないということとが明らかであるべきである。本明細書における教示に基づいて、本明細書で開示される態様が、その他任意の態様とは無関係に実施されうるということと、それらの態様のうちの１あるいは複数が、多様な方式において組合されうるということとを、当業者は認識するべきである。例えば、本明細書で説明される態様のうちの任意の数のものを使用して、装置が実現されうる、あるいは方法が実施されうる。それに加えて、本明細書で説明される１あるいは複数の態様以外の、あるいはそれらに加えて、その他の構造、機能、もしくは構造と機能を使用して、このような装置が実現されうる、あるいは方法が実施されうる。更に、態様は請求項の少なくとも１つの要素を備えうる。
【００１６】
図１は、通信ネットワークの実例を例示する概念ブロック図である。通信ネットワークが、無線ネットワーク１００として示されている。しかし、当業者は、本明細書において開示される通信ネットワークの多様な態様が、有線ネットワークまで容易に拡張されうるということを理解するだろう。この無線ネットワーク１００は、ＩＥＥＥ８０２．１１ネットワークあるいはその他任意の適切なネットワークのような、ＷＬＡＮでありうる。無線ネットワーク１００は、一般的に、ノード１０２及び１０４と称されるいくつかの無線ノードを伴って示される。各無線ノードは、データを送受信することができる。以下に続く説明において、用語「受信ノード」は、データを受信しているノードを称するために使用されうる、又、用語「送信ノード」は、データを送信しているノードを称するために使用されうる。このような言及は、送信機能と受信機能の両方を実行することが無線ノードにとって不可能であるということを暗示しているわけではない。
【００１７】
無線ノードは、多様な方式で実施されうる。実例として、無線ノードは、アクセス端末、中継ポイント、アクセス・ポイント、あるいはそれらの任意の組合せとして実施されうる。図１を参照すると、１０２と称される無線ノードは、アクセス・ポイントあるいは中継ポイントとして実施されている、そして、１０４と称される無線ノードは、アクセス端末として実施されている。アクセス・ポイント１０２Ａは、アクセス端末１０４から（例えばインターネットのような広域ネットワークのような）別のネットワーク１０６へのブリッジの役目をしている。中継ポイント１０２Ｂ乃至１０２Ｄは、ピアツーピア接続によって、無線ネットワーク１００内の通信を容易にする。例として、中継ポイント１０２Ｂは、アクセス・ポイント１０２Ａとのアップストリーム接続と、アクセス端末１０４Ａとのダウンストリーム接続とを確立し、これら２つの間での通信を容易にする。
【００１８】
図２は、無線ノードのためのプロトコル・スタックの実例を例示する概念図である。このプロトコルは、共有無線チャネルをインタフェースするために、物理的特性と電気的特性の全てを実施する物理（ＰＨＹ）レイヤ２０２と、共有無線媒体へのアクセスを調整する媒体アクセス制御（ＭＡＣ）レイヤ２０４と、例えば、スピーチ、マルチメディア・コーデック、及びグラフィック処理を含む多様なデータ処理機能を実行するアプリケーション・レイヤ２０６を含むレイヤード構造を活用する。
【００１９】
無線ノードが送信機能を提供すると、アプリケーション・レイヤは、データを処理し、そのデータをアプリケーション・レイヤ・パケットへ分割し、そのアプリケーション・レイヤ・パケットをＭＡＣレイヤ２０４へ伝える。アプリケーション・レイヤ・パケット２０８が、説明のために、図２に示される。その後、ＭＡＣレイヤ２０４はオプションとして、アプリケーション・レイヤ・パケット２０８を小さなフラグメントへと分割しうる。ＭＡＣレイヤ・パケット２１０は、その後、ＭＡＣパケット２１０のペイロードによって運ばれる各フラグメントとアセンブルされる。各ＭＡＣレイヤ・パケット２１０は、ＭＡＣヘッダ２１２及び誤り検出符号２１４を含む。ＭＡＣレイヤ・パケットは、時にＭＡＣプロトコル・データ・ユニット（ＭＰＤＵ）とも称されるが、フレーム、パケット、タイムスロット、セグメント、あるいはその他任意の適切な名称でも称されうる。図示されてはいないが、アプリケーション・レイヤ・パケットは、ＭＡＣレイヤ２０４によってフラグメント化されないこともありうる。その代わりに、ＭＡＣレイヤ・パケットは、ペイロードにおいて、アプリケーション・レイヤ・パケット全体、あるいは複数のアプリケーション・レイヤ・パケットを運ぶために使用されうる。
【００２０】
ＭＡＣレイヤ２０４は、更に、無線媒体へのアクセスを調整する。無線ノードの１つの構成において、ＭＡＣレイヤ２０４は、エネルギー検出によって無線媒体を検知するために、搬送波検知多元接続（ＣＳＭＡ：Carrier Sense Multiple Access）アルゴリズムを使用し、媒体がフリーな場合にのみ送信する。しかし、当業者が理解するように、その他の多様なアルゴリズムが、無線媒体へのアクセスを調整するために使用されうる。
【００２１】
ＭＡＣレイヤ２０４は、送信することを決定すると、ＭＡＣレイヤ・パケットのブロックをＰＨＹレイヤ２０２へ伝える。ＰＨＹレイヤ２０２は、ＭＡＣレイヤ２０４からのデータ・パケットのブロックをペイロードへとアセンブルすることと、プリアンブル２１８を加えることとによって、ＰＨＹレイヤ・フレーム２１６をアセンブルする。ＰＨＹレイヤ２０２は、ＰＨＹレイヤ・フレーム２１６を望ましいデータ・レートで復号及び符号化することをも担当する。時に物理レイヤ収束プロトコル（ＰＬＣＰ）とも称されるプリアンブル２１８は、フレームの開始を検出し、受信ノードに対して、送信機ノードのデータ・クロックに同期することを可能にするために使用される。
【００２２】
無線ノードが受信機機能を提供する場合、処理は逆になる。すなわち、ＰＨＹレイヤ２０２が、無線媒体からの入力フレームを検出する。プリアンブルによって、ＰＨＹレイヤ２０２は、信号上でロックインすることと、変調スキーム及び符号化スキームを使用してフレームを復号することとが可能になる。復号されると、ＰＨＹレイヤ２０２は、ＰＨＹレイヤ・フレームのペイロードへ運ばれたＭＡＣレイヤ・データ・パケット２１０のブロックを復元する。図２で示されるように、ＰＨＹレイヤ２０２は、データ・パケットをＭＡＣレイヤ２０４に伝える。
【００２３】
ＭＡＣレイヤ２０４は、各ＭＡＣレイヤ・データ・パケットのための誤り検出符号をチェックして、これが正しく復号されたかを判定する。正しく復号されたとＭＡＣレイヤ・パケット２１０のための誤り検出符号が示すと、そのパケットはアプリケーション・レイヤ２０６へ提供される。正しく復号されなかったとＭＡＣレイヤ・パケット２１０のための誤り検出符号が示すと、ＭＡＣレイヤ・パケット２１０は破棄される。どのデータ・パケットが正しく復号されたかを示すブロックＡＣＫが、送信ノードに送り返される。送信ノードは、もし要求があれば、どのデータ・パケットが再送信を要求しているかを判定するために、ブロックＡＣＫを使用する。
【００２４】
無線ノードのためのプロトコルは、ＨＡＲＱを有効にするために変更されうる。後により詳細に説明されるように、これは、（１）ＨＡＲＱ接続をセット・アップ及び確立するための、２つのピア・ノードの間でのメッセージの交換と、（２）今後の送信と結合させるための、復号不可能なＭＡＣレイヤ・データ・パケットの記憶と、（３）増分冗長を使用してＭＡＣレイヤ・デート・パケットの再送信を要求するための、ＭＡＣレイヤＡＣＫ（ブロックＡＣＫ）の使用とを支援するＨＡＲＱレイヤを追加するために、プロトコルを変更することによって達成される。
【００２５】
メッセージを交換することを２つのピア・ノードに対して可能にするプロトコルを用いてＨＡＲＱセット・アップが実施され、それらがＨＡＲＱ対応しているかが判定される。プロトコルの変更に従って、送信ノードは、受信ノードがＨＡＲＱ対応しているかを判定する。受信ノードがＨＡＲＱ対応していると判定すると、送信ノードは、ＨＡＲＱレイヤ上のＨＡＲＱを支援するために、要求されたプロトコル及び順序回路をセット・アップする。同様に、受信ノードは、終端部において、ＨＡＲＱレイヤ上のＨＡＲＱを支援するために、要求されたプロトコルと順序回路をセット・アップする。送信ノードは更に、ＨＡＲＱセッション識別子（ＩＤ）を送信ノードと受信ノードとの間の各ＨＡＲＱセッションに割り当てる。割り当てられたＩＤは、任意のＨＡＲＱセッションに属するパケットを構成及び識別するために、受信ノードによって使用される。加えて、送信ノード及び受信ノードは、使用される符号化スキームをネゴシエートする。ＨＡＲＱ符号化スキームの代替例は、ターボ符号化スキーム、低密度パリティ・チェック（ＬＤＰＣ）スキーム、シンプル・チェイス結合スキーム、あるいはその他任意の適切な符号化スキームを含みうる。ＨＡＲＱセット・アップ・プロトコルは、送信ノード及び受信ノードでＨＡＲＱ順序回路を初期化するためにも使用されうる。
【００２６】
図３は、ＨＡＲＱを有する送信ノードのためのプロトコル・スタックの実例を例示する概念図である。プロトコル・スタックは、ＰＨＹレイヤ３０２、ＨＡＲＱレイヤ３０４、及びＭＡＣレイヤ３０６を含む。
【００２７】
ＨＡＲＱ接続がピア・ノードの一組の間でセット・アップされると、ＰＨＹレイヤ３０２とＭＡＣレイヤ３０６が、ＨＡＲＱレイヤ３０４によって通信する。ＨＡＲＱ順序回路３０８が、ノードの間で起動する。ＭＡＣレイヤ３０６は、ＭＡＣレイヤ・データ・パケットのブロックを、ＨＡＲＱレイヤ３０４へと送る。
【００２８】
ＨＡＲＱレイヤ３０４は、ブロックが再送信データ・パケットを含んでいるかを判定するためにデータ・パケットのブロックを解析するパケット・パーサ３０８を含む。任意のデータ・パケットが再送信されるイベントにおいて、ＨＡＲＱレイヤ３０４は、符号化パケット記憶装置３１０からパリティ・シンボルを取得する。ブロックが新規のデータ・パケット（すなわち、まだ送信されていないデータ・パケット）を含んでいる場合、符号器３１２は、送信のためにシステマティック・シンボルを、又、今後の送信のためにパリティ・シンボルを生成する。パリティ・シンボルは、符号化パケット記憶装置３１０に格納されうる。データ・パケットのブロックが解析され符号化されると、ＨＡＲＱヘッダ・プロセッサ３１４が、ＨＡＲＱヘッダを生成するために使用される。いくつかの構成において、ＨＡＲＱヘッダは、ＰＨＹレイヤ・フレームのプリアンプルに組み込まれる。これは、後に更に詳細に説明される。マッパー３１６は、受信ノードでデータ・パケットを順序付けし直すために、データ・パケット・シーケンス・ナンバをＰＨＹレイヤ・シーケンス・ナンバにマップするために使用されうる。
【００２９】
ブロックＡＣＫがＭＡＣレイヤ３０６で受信されると、どのデータ・パケットが正しく復号されたかを識別する情報が、ＡＣＫプロセッサ３１８に提供される。復号されたデータ・パケットに対応するパリティ・シンボルが、符号化パケット記憶装置３１０から取り除かれる。ブロックＡＣＫは、復号不可能なパケットが送信された回数も示しうる。この情報によって、ＨＡＲＱレイヤ３０８は、データ・パケットの再送信が生じた場合に、符号化パケット記憶装置３１０から、どのパリティ・シンボルのセットが送られるかを判定できるようになる。
【００３０】
図４は、ＰＨＹレイヤ・フレームの実例を例示する概念図である。ＰＨＹレイヤ・フレーム４００は、ＰＨＹレイヤ・プリアンブル４０２と、ＨＡＲＱヘッダ４０４と、ペイロード４０６とを含む。プリアンブル４０２の実例は、先ほど説明され、当該技術分野において周知であるＰＬＣＰヘッダである。ペイロード４０６は、１あるいは複数のＭＡＣレイヤ・データ・パケットを運ぶ。ＨＡＲＱヘッダ４０４は、特定のアプリケーションに従って、多様な方式で構成されうる、又、設計制約全体は、システム全体に課せられる。ＨＡＲＱヘッダの実例が、ここで図４を参照して示される。
【００３１】
ＨＡＲＱヘッダ４０４は、どのフレームがＨＡＲＱフレームかを示すフラグを含みうる。ＩＥＥＥ８０２．１１の場合、ＰＬＣＰヘッダの予約フィールドの１つは、この目的のために使用されうる。ＨＡＲＱヘッダ４０４は、送信ノードのアドレスのためのフィールド４０８と、ＨＡＲＱセッションを識別するためのフィールド４１０も含みうる。アドレスとＨＡＲＱセッションとの組合せは、ＨＡＲＱ順序回路５０８（図５参照）のどの例が受信されたフレームを処理するために使用されねばならないかを判定する。次のフィールド４１２は、フレーム内のデータ・パケットの数を識別するために使用される。３フィールドのプリアンブル・セグメント４１４は、その後、各データ・パケットのために提供される。アプリケーション・レイヤによる処理のために、受信ノードが、データ・パケットを適切に順序付けし直すことを可能にするために、第１のフィールド４１６は、ＰＨＹレイヤ・シーケンス・ナンバを提供する。第２のフィールド４１８は、送信数（すなわち、データ・パケットが送信された回数）を提供する。これによって、受信ノードは、以前に送信されたシステマティック・シンボル及びパリティ・シンボルを、復号のための受信されたデータ・パケットと適切に結合させることが可能になる。第３のフィールド４２０は、データ・パケットの長さを提供する。フレームは複数のデータ・パケットを運ぶため、各データ・パケットの長さは、各データ・パケットのためのペイロード内の境界を判定するために、受信ノードによって使用されうる。
【００３２】
当業者が容易に理解するように、図４に関連して説明されたＨＡＲＱヘッダの多くのバリエーションは、無線ネットワークの実際の展開において使用される。任意の展開の何れかにおいて、上記で説明された情報のうちのいくつかあるいは全てがＨＡＲＱヘッダに含まれうる、あるいは何れの情報も含まれない。図４で示された情報のうちのいくつかまるいは全てを伴う、あるいはそれらの何れをも伴わない、追加の情報も、ＨＡＲＱヘッダに含まれうる。ＨＡＲＱヘッダで提供された情報の順序も、変動しうる。
【００３３】
図５は、ＨＡＲＱを有する受信ノードのためのプロトコル・スタックの実例を例示する概念図である。このプロトコル・スタックは、送信ノードと関連付けて説明されたプロトコル・スタックに類似しており、ＰＨＹレイヤ５０２と、ＨＡＲＱレイヤ５０４と、ＭＡＣレイヤ５０６を有する。
【００３４】
ＰＨＹレイヤ５０２は、フレームのプリアンブルを調べることによって、受信されたＰＨＹレイヤ・フレームがＨＡＲＱを使用するかを判定する。ＰＨＹレイヤ５０２が、フレームがＨＡＲＱを使用すると判定した場合、ＰＨＹレイヤ５０２は、ペイロードからデータ・パケットのブロックを復元し、これを、ＨＡＲＱヘッダと共にＨＡＲＱレイヤ５０４へ提供する。ＨＡＲＱヘッダ・プロセッサ５１０は、ＨＡＲＱヘッダで提供された情報を使用して、個々のデータ・パケットへブロックを解析する。パケット・データ５１２は、その後、データ・パケットのための、以前に送信された任意のシステマティック・シンボル及び／あるいはパリティ・シンボルと結合させることによって、各データ・パケットを復号する。データ・パケットのためのシステマティック・シンボル及びパリティ・シンボルは、未復号パケット記憶装置５１４内に格納される。復号されたデータ・パケットは、その後、各データ・パケットが、ＨＡＲＱレイヤ５０４において適切に復号されたかを判定するために、誤り検出符号チェックを実行するＭＡＣレイヤ５０６に提供される。与えられたデータ・パケットが正しく復号されると、ＭＡＣレイヤ５０６は、データ・パケットをアプリケーション・レイヤ(図示されず)に提供する。ＭＡＣレイヤ５０６は、更に、未復号パケット記憶装置５１４からのデータ・パケットに対応する全てのシステマティック・シンボル及びパリティ・シンボルを消去するよう、ＨＡＲＱインタフェース５０４に通知する。データ・パケットが正しく復号されない場合、受信されたシンボルは、データ・パケットの今後の送信と結合させるために、未復号パケット記憶装置５１４に格納される。
【００３５】
ＨＡＲＱレイヤ５０４は、ＡＣＫプロセッサ５１６も含む。いくつかの構成において、ＡＣＫプロセッサ５１６は、どのデータ・パケットが正しく復号されたかを示すブロックＡＣＫを、送信ノードへ戻す。先ほど説明されたように、送信ノードは、どのデータ・パケットが再送信を要求しているかを判定するためにこの情報を使用する。
【００３６】
図６は、無線ノードの機能の実例を例示するブロック図である。以下の説明は、本質的に説明的であり、各ブロックの機能を広く定義している。本開示にわたって説明されている多様な概念に関する機能のみが説明されている。これらの機能ブロックが、本明細書において説明されていないその他の機能を提供しうるということを、当業者は認識するだろう。この実例において、無線ノード６０２は、２つの機能ブロック、すなわち、ネットワーク・アダプタ６０４と処理システム６０６を含む。
【００３７】
ネットワーク・アダプタ６０４は、送信機機能と受信機機能の両方を提供するトランシーバとして構成されうる。送信機機能は、情報用いて搬送波を変調することを含む。受信機機能は、情報を復元するために搬送波を復調することを含む。ネットワーク・アダプタ６０４は、例えば、ＲＦフロント・エンド処理、ＡＤＣ、タイミング推定と周波数推定、チャネル推定、ターボ符号化などのような多様な機能を提供する。要約すると、ネットワーク・アダプタ６０４は、無線ノード６０２の完全なＰＨＹレイヤ実施例を提供する。
【００３８】
処理システム６０６は、単一で、あるいは無線ノードにおけるその他のエンティティと連携して、ＰＨＹレイヤの全ての機能を実施するように構成されている。しかし、いくつかの構成において、処理システム６０６は、ＰＨＹレイヤの全てあるいは一部を実施するためにも使用されうる。少なくとも１つの構成において、処理システム６０６は、ネットワークにおけるその他の無線ノードとの通信を支援するために、ネットワーク・アダプタ６０４の送信機機能及び受信機機能を使用するように構成されている。処理システム６０６は、ＭＡＣベースのフィードバックを用いてＷＬＡＮプロトコルを使用して、ＨＡＲＱを支援するＨＡＲＱレイヤを実施する。
【００３９】
無線ノード６０２は、アクセス端末、アクセス・ポイント、中継ポイント、あるいはそれらの任意の組合せとして機能しうる。アクセス端末として機能する無線ノード６０２は、ユーザ・インタフェース６０８を含みうる。ユーザ・インタフェース６０８は、ディスプレイ、キーパッド、スピーカ、マイクロフォン、及び／あるいは、アクセス端末を操作することをユーザに対して可能にするその他任意の適切なインタフェースを含みうる。ユーザ・インタフェース６０８は、ネットワーク・アダプタ６０４によって維持される無線アップリンク接続を介して、処理システム６０６によって送信及び受信されるデータを制御するために使用されうる。
【００４０】
アクセス・ポイントとして機能する無線ノード６０２は、逆送を支援するために１あるいは複数のアップリンク接続を維持するだけでなく、アクセス端末及び／あるいは中継ポイントとの任意の適切な数の無線ダウンリンク接続を維持することができるネットワーク・アダプタ６０４を含む。アップリンク接続は、有線あるいは無線でありうる。例として、アクセス・ポイントは、中継ポイントへの無線アップリンク接続と、（インターネットのような）別のネットワークへの有線アップリンク接続とを支援しうる。
【００４１】
処理システム６０６は１あるいは複数のプロセッサを含みうる。プロセッサは、汎用マイクロプロセッサ、マイクロコントローラ、デジタル信号プロセッサ（ＤＳＰ）、アプリケーション特定集積回路（ＡＳＩＣ）、フィールド・プログラマブル・ゲート・アレイ（ＦＰＧＡ）、プログラマブル・ロジック・デバイス（ＰＬＤ）、ロジック回路、離散ハードウェア構成要素、あるいは計算もしくはその他情報の操作を実行しうるその他任意の適切なエンティティでありうる。
【００４２】
処理システム６０６は、データ記憶装置を提供するため、及び／あるいはソフトウェア・アプリケーションを支援するために、１あるいは複数の機械読取可能媒体を含みうる。ソフトウェアは、命令群、プログラム、コード、あるいはその他任意の電子媒体コンテンツを意味するように広く解釈されるものとする。これは、ソフトウェア、ファームウェア、ミドルウェア、マイクロコード、ハードウェア記述言語、あるいは別の名称によっても称される。機械読取可能媒体は、ＡＳＩＣと統合される場合におけるようなプロセッサと統合された記憶装置を含みうる。機械読取可能媒体は、ランダム・アクセス・メモリ（ＲＡＭ）、読取専用メモリ（ＲＯＭ）、プログラマブル読込専用メモリ（ＰＲＯＭ）、消去可能ＰＲＯＭ（ＥＰＲＯＭ）、レジスタ、ハード・ディスク、リムーバブル・ディスク、ＣＤ−ＲＯＭ、ＤＶＤ、あるいはその他任意の適切な記憶デバイスのような、プロセッサの外部に位置する記憶装置も含みうる。それに加えて、機械読取可能媒体は、送信回線あるいはデータ信号を符号化する搬送波も含みうる。処理システムのための説明された機能をどのように実施するのが最善かを当業者は認識するだろう。
【００４３】
図７は、無線ノード７００の機能の実例を例示するブロック図である。この実例において、無線ノード７００は、ＭＡＣプロトコルを使用して共有無線媒体へのアクセスを調整するためのモジュール７０６と、共有無線媒体へのインタフェースを提供するためのモジュール７０２と、ＭＡＣプロトコルを使用してＨＡＲＱを支援するためのモジュール７０４とを含む。
【００４４】
先の記述は、当業者に対して本明細書で説明された多様な態様を実施することを可能にするために提供される。これらの態様に対する多様な変形例は当業者にとって容易に明らかになるであろう。また本明細書で規定された一般的原理は、その他の態様に適用されうる。よって、特許請求の範囲は本明細書において示された態様に限定されるよう意図されたものではなく、請求項と矛盾しない最大範囲であると認められるべきである。ここにおいて、単数における要素の言及は、そうと明確に述べられない限りは「１つ及び１つだけ」を意味するのではなく、むしろ「１あるいは複数」を意味することが意図されている。そうではないと明確に述べられていない限り、用語「いくつか（some）」は１あるいは複数に当てはまる。当業者に対して周知である、あるいは後に周知となる本開示において説明された多様な態様の要素に対する構造的及び機能的な均等物は、参照によって本明細書に明確に組み込まれ、請求項によって包含されるよう意図される。更に、本明細書において開示されたものは何れもこのような開示が請求項において明確に述べられているかどうかに関わりなく、公衆に放棄されることは意図されていない。要素が、「する手段」というフレーズを使用して、あるいは方法請求項である場合に、「するステップ」というフレーズを使用して、明確に述べられていない限り、請求項における何れの要素も米国特許法第１１２条第６段落に基づくと解釈されるべきではない。
【図１】
2011517162.tif 000003
【図２】
2011517162.tif 000004
【図３】
2011517162.tif 000005
【図４】
2011517162.tif 000006
【図５】
2011517162.tif 000007
【図６】
2011517162.tif 000008
【図７】
2011517162.tif 000009
【手続補正書】
【提出日】平成22年10月19日(2010.10.19)
【手続補正１】
【補正対象書類名】特許請求の範囲
【補正対象項目名】全文
【補正方法】変更
【補正の内容】
【特許請求の範囲】
【請求項１】
通信装置であって、
ＭＡＣプロトコルを使用して共有無線媒体へのアクセスを調整するように構成されたＭＡＣレイヤと、
前記共有無線媒体へのインタフェースを提供するように構成されたＰＨＹレイヤと、
前記ＭＡＣレイヤと前記ＰＨＹレイヤの間のＨＡＲＱレイヤと
を備え、前記ＨＡＲＱレイヤが、前記ＭＡＣプロトコルを使用してＨＡＲＱを支援するように構成された通信装置。
【請求項２】
前記ＭＡＣプロトコルが、ＩＥＥＥ８０２．１１プロトコルを備える請求項１に記載の装置。
【請求項３】
前記ＨＡＲＱレイヤが、ピア・ノードがＨＡＲＱ対応であるかを判定するために、前記ピア・ノードと通信するように更に構成された請求項１に記載の装置。
【請求項４】
送信ノードを備え、前記ＨＡＲＱレイヤは、受信ノードがＨＡＲＱ対応であるかを判定するために、前記受信ノードと通信するように更に構成された請求項１に記載の装置。
【請求項５】
前記受信ノードがＨＡＲＱ対応である場合に、前記ＨＡＲＱレイヤが、ＨＡＲＱを支援するためにプロトコル及び順序回路をセット・アップするように更に構成された請求項４に記載の装置。
【請求項６】
受信ノードを備え、前記ＨＡＲＱレイヤは、ＨＡＲＱを要求するメッセージを送信ノードから受信し、前記メッセージに応じてＨＡＲＱを支援するためにプロトコル及び順序回路をセット・アップするように更に構成された請求項１に記載の装置。
【請求項７】
送信ノードを備え、前記ＨＡＲＱレイヤは、ＨＡＲＱセッションＩＤを、受信ノードと共に維持される各ＨＡＲＱセッションに割り当てるように更に構成された請求項１に記載の装置。
【請求項８】
受信ノードを備え、前記ＨＡＲＱレイヤは、各々がＨＡＲＱセッションＩＤを有する複数のデータ・パケットを受信するようにと、前記データ・パケットを構成及び識別するために、前記ＨＡＲＱセッションＩＤを使用するように更に構成された請求項１に記載の装置。
【請求項９】
前記ＨＡＲＱが、前記ハイブリッドＡＲＱのための符号化スキームをネゴシエートするために、ピア・ノードと通信するように更に構成された請求項１に記載の装置。
【請求項１０】
前記ネゴシエートされた符号化スキームが、ターボ符号化、ＬＤＰＣ、チェイス結合、あるいはそれらの任意の組合せを備える請求項９に記載の装置。
【請求項１１】
前記ＨＡＲＱレイヤが、ピア・ノードへの送信のために前記ＭＡＣレイヤからデータ・パケットを受信し、前記データ・パケットが以前に送信されているかを判定するように更に構成された請求項１に記載の装置。
【請求項１２】
前記データ・パケットが以前に送信されていないと判定された場合に、前記ＨＡＲＱレイヤが、システマティック・シンボル及びパリティ・シンボルを生成するために前記データ・パケットを符号化し、前記システマティック・シンボルを、送信のために前記ＰＨＹレイヤに提供し、前記パリティ・シンボルの少なくとも一部を格納するように更に構成された請求項１１に記載の装置。
【請求項１３】
前記ＭＡＣレイヤによって受信され、前記ピア・ノードが前記ＰＨＹレイヤによって送信された前記データ・パケットを正しく復号したことを示すアクノレッジメントに応じて、前記ＨＡＲＱレイヤが、前記パリティ・シンボルの少なくとも一部を記憶装置から取り除くように更に構成された請求項１２に記載の装置。
【請求項１４】
前記データ・パケットが以前に送信されていると判定された場合、前記ＨＡＲＱレイヤが、前記以前の送信のうちの最初の送信のためのデータ・パケットを符号化することから生成されたパリティ・シンボルのうちの少なくとも一部を記憶装置から検索し、前記パリティ・シンボルのうちの少なくとも一部を、送信のために前記ＰＨＹレイヤに提供するように更に構成された請求項１１に記載の装置。
【請求項１５】
前記ＨＡＲＱレイヤが、前記ＭＡＣレイヤによって受信されたブロック・アクノレッジメントに応じて、前にデータ・ケットが、以前に送信されているかを判定するように、更に構成された請求項１４に記載の装置。
【請求項１６】
前記ＨＡＲＱレイヤが、ピア・ノードによって送信されたデータ・パケットを前記ＰＨＹレイヤから受信し、前記データ・パケットを復号し、前記復号されたデータ・パケットを前記ＭＡＣレイヤに提供するように更に構成された請求項１に記載の方法。
【請求項１７】
前記データ・パケットが複数のシンボルを含み、前記ＨＡＲＱレイヤは、前記データ・パケット内のシンボルを、前記データ・パケットの１あるいは複数の以前の送信に関連付けられた前記ＨＡＲＱレイヤによって受信された任意のシンボルと結合させることによって、前記データ・パケットを復号するように更に構成された請求項１６に記載の装置。
【請求項１８】
前記ＨＡＲＱレイヤは、前記データ・パケットが前記ＨＡＲＱデータによって正しく復号されなかったことを示すＭＡＣレイヤからのインジケーションに応じて、前記データ・パケットの１あるいは複数の今後の送信と結合させるための前記データ・パケット内のシンボルを格納するように更に構成された請求項１７に記載の装置。
【請求項１９】
前記ＨＡＲＱレイヤは、前記データ・パケットが前記ＨＡＲＱレイヤによって正しく復号されたことを示すＭＡＣレイヤからのインジケーションに応じて、前記データ・パケットの１あるいは複数の以前の送信に関連付けられたＨＡＲＱレイヤによって受信された任意のシンボルを、記憶装置から取り除くように更に構成された請求項１７に記載の装置。
【請求項２０】
前記ＨＡＲＱレイヤは、データ・パケットのためのＰＨＹレイヤ・ヘッダと結合されたＨＡＲＱヘッダを支援するように更に構成され、前記データ・パケットが、前記ＭＡＣプロトコルに従う請求項１に記載の装置。
【請求項２１】
前記ＨＡＲＱレイヤは、ピア・ノードへの送信のためのデータ・パケットを前記ＭＡＣレイヤから受信し、前記データ・パケットのためのＨＡＲＱヘッダを生成するように更に構成された請求項１に記載の装置。
【請求項２２】
前記ＨＡＲＱヘッダが、前記データ・パケットが以前に送信された回数を示す送信数を備える請求項２１に記載の装置。
【請求項２３】
前記ＨＡＲＱヘッダが、前記データ・パケットに対応する長さを備える請求項２１に記載の装置。
【請求項２４】
通信方法であって、
ＭＡＣプロトコルを使用して共有無線媒体へのアクセスを調整することと、
前記共有無線媒体へのインタフェースを提供することと、
前記ＭＡＣプロトコルを使用してＨＡＲＱを支援することとを備え、前記ＨＡＲＱは、ＭＡＣレイヤとＰＨＹレイヤとの間にＨＡＲＱを提供することによって支援され、前記ＨＡＲＱレイヤは、前記ＭＡＣプロトコルを使用してＨＡＲＱを支援する通信方法。
【請求項２５】
前記ＭＡＣプロトコルが、ＩＥＥＥ８０２．１１プロトコルを備える請求項２４に記載の方法。
【請求項２６】
前記ＨＡＲＱを支援することが、ピア・ノードがＨＡＲＱ対応であるかを判定するために、前記ピア・ノードと通信することを備える請求項２４に記載の方法。
【請求項２７】
前記ＨＡＲＱを支援することが、受信ノードがＨＡＲＱ対応であるかを判定するために、送信ノードから前記受信ノードへ通信することを備える請求項２４に記載の方法。
【請求項２８】
前記ＨＡＲＱを支援することが、前記受信ノードがＨＡＲＱ対応である場合にＨＡＲＱを支援するために、前記送信ノードにおいてプロトコル及び順序回路をセット・アップすることを更に備える請求項２７に記載の方法。
【請求項２９】
前記ＨＡＲＱを支援することが、ＨＡＲＱを要求する送信ノードからのメッセージを受信ノードにおいて受信することと、前記メッセージに応じて、ＨＡＲＱを支援するためにプロトコル及び順序回路をセット・アップすることとを備える。
【請求項３０】
前記ＨＡＲＱを支援することが、送信ノードにおいて、受信ノードと共に維持される各ＨＡＲＱセッションに、ＨＡＲＱセッションＩＤを割り当てることを備える請求項２４に記載の方法。
【請求項３１】
前記ＨＡＲＱを支援することが、複数のデータ・パケットを受信ノードで受信することを備え、前記データ・パケットの各々は、ＨＡＲＱセッションＩＤを有し、前記ＨＡＲＱを支援することは更に、前記データ・パケットを構成及び識別するために、前記ＨＡＲＱセッションＩＤを使用することを備える請求項２４に記載の方法。
【請求項３２】
前記ＨＡＲＱを支援することが、ＡＲＱのための符号化スキームをネゴシエートするために、ピア・ノードと通信することを備える請求項２４に記載の方法。
【請求項３３】
前記ネゴシエートされた符号化スキームが、ターボ符号化、ＬＤＰＣ、チェイス結合、あるいはそれらの任意の組合せを備える請求項３２に記載の方法。
【請求項３４】
前記ＨＡＲＱを支援することが、ピア・ノードへの送信のために前記ＭＡＣレイヤからデータ・パケットを受信することと、前記データ・パケットが以前に送信されているかを判定することとを備える請求項２４に記載の方法。
【請求項３５】
前記ＨＡＲＱを支援することが、前記データ・パケットが以前に送信されていないと判定することと、システマティック・シンボル及びパリティ・シンボルを生成するために前記データ・パケットを符号化することと、前記システマティック・シンボルを送信のためにＰＨＹレイヤに提供することと、前記パリティ・シンボルの少なくとも一部を格納することとを更に備える請求項３４に記載の方法。
【請求項３６】
前記ＭＡＣレイヤによって受信され、前記ピア・ノードが前記ＰＨＹレイヤによって送信されたデータ・パケットを正しく復号したことを示すアクノレッジメントに応じて、前記ＨＡＲＱを支援することが、前記パリティ・シンボルの少なくとも一部を記憶装置から取り除くことを更に備える請求項３５に記載の方法。
【請求項３７】
前記ＨＡＲＱを支援することが、前記データ・パケットが以前に送信されたと判定することと、前記以前の送信のうちの最初の送信のためのデータ・パケットを符号化することから生成されたパリティ・シンボルの少なくとも一部を記憶装置から検索することと、前記パリティ・シンボルの少なくとも一部を送信のためにＰＨＹレイヤに提供することとを更に備える請求項３４に記載の方法。
【請求項３８】
前記ＨＡＲＱを支援することが、前記データ・パケットがＭＡＣレイヤによって受信されたブロック・アクノレッジメントに応じて、前記データ・パケットが以前に送信されているかを判定することを備える請求項２４に記載の方法。
【請求項３９】
前記ＨＡＲＱを支援することが、ピア・ノードによって送信されたデータ・パケットをＰＨＹレイヤから受信することと、前記データ・パケットを復号することと、前記復号されたデータ・パケットをＭＡＣレイヤに提供することとを備える請求項２４に記載の方法。
【請求項４０】
前記データ・パケットが複数のシンボルを含み、前記ＨＡＲＱを支援することは、前記データ・パケット内のシンボルを、前記データ・パケットの１あるいは複数の以前の送信に関連付けられた任意の受信されたシンボルと結合させることによって、前記データ・パケットを復号することを更に備える請求項３９に記載の方法。
【請求項４１】
前記ＨＡＲＱを支援することが、前記データ・パケットが正しく復号されなかったことを示すＭＡＣレイヤからのインジケーションに応じて、前記データ・パケット内のシンボルを、前記データ・パケットの１あるいは複数の今後の送信と結合させるために格納することを更に備える請求項４０に記載の方法。
【請求項４２】
前記ＨＡＲＱを支援することが、前記データ・パケットが正しく復号されたことを示すＭＡＣレイヤからのインジケーションに応じて、前記データ・パケットの１あるいは複数の以前の送信に関連付けられた任意の受信されたシンボルを記憶装置から取り除くことを更に備える請求項４０に記載の方法。
【請求項４３】
前記ＨＡＲＱを支援することが、データ・パケットのためのＰＨＹレイヤ・ヘッダと結合されたＨＡＲＱヘッダ支援することを備え、前記データ・パケットが、前記ＭＡＣプロトコルに従う請求項２４に記載の方法。
【請求項４４】
前記ＨＡＲＱを支援することが、ピア・ノードへの送信のためのデータ・パケットをＭＡＣレイヤから受信することと、前記データ・パケットのためのＨＡＲＱヘッダを生成することとを備える請求項２４に記載の方法。
【請求項４５】
前記ＨＡＲＱヘッダが、前記データ・パケットが以前に送信された回数を示す送信数を備える請求項４４に記載の方法。
【請求項４６】
前記ＨＡＲＱヘッダが、前記データ・パケットに対応する長さを備える請求項４４に記載の方法。
【請求項４７】
通信装置であって、
ＭＡＣプロトコルを使用して共有無線媒体へのアクセスを調整する手段と、
前記共有無線媒体へのインタフェースを提供する手段と、
前記ＭＡＣプロトコルを使用してＨＡＲＱを支援する手段とを備え、前記ＨＡＲＱは、ＭＡＣレイヤとＰＨＹレイヤとの間にＨＡＲＱを提供することによって支援され、前記ＨＡＲＱレイヤは、前記ＭＡＣプロトコルを使用してＨＡＲＱを支援する装置。
【請求項４８】
前記ＭＡＣプロトコルが、ＩＥＥＥ８０２．１１プロトコルを備える請求項４７に記載の装置。
【請求項４９】
前記ＨＡＲＱを支援する手段が、ピア・ノードがＨＡＲＱ対応であるかを判定するために、前記ピア・ノードと通信する手段を備える請求項４７に記載の装置。
【請求項５０】
前記ＨＡＲＱを支援する手段が、受信ノードがＨＡＲＱ対応であるかを判定するために、前記受信ノードと通信する手段を備える請求項４７に記載の装置。
【請求項５１】
前記ＨＡＲＱを支援する手段が、前記受信ノードがＨＡＲＱ対応である場合に、ＨＡＲＱを支援するために、プロトコル及び順序回路をセット・アップする手段を更に備える請求項５０に記載の装置。
【請求項５２】
前記ＨＡＲＱを支援する手段が、ＨＡＲＱを要求する送信ノードからメッセージを受信する手段と、前記メッセージに応じて、ＨＡＲＱを支援するためにプロトコル及び順序回路をセット・アップする手段とを備える請求項４７に記載の装置。
【請求項５３】
前記ＨＡＲＱを支援する手段が、ＨＡＲＱセッションＩＤを、受信ノードと共に維持される各ＨＡＲＱセッションに割り当てる手段を備える請求項４７に記載の装置。
【請求項５４】
前記ＨＡＲＱを支援する手段が、複数のデータ・パケットを受信ノードで受信する手段を備え、前記データ・パケットの各々はＨＡＲＱセッションＩＤを有し、前記ＨＡＲＱを支援する手段は更に、前記データ・パケットを構成及び識別するために、前記ＨＡＲＱセッションＩＤを使用する手段を備える請求項４７に記載の装置。
【請求項５５】
前記ＨＡＲＱを支援する手段が、前記ＡＲＱのための符号化スキームをネゴシエートするために、ピア・ノードと通信することを備える請求項４７に記載の装置。
【請求項５６】
前記ネゴシエートされた符号化スキームが、ターボ符号化、ＬＤＰＣ、チェイス結合、あるいはそれらの任意の組み合わせを備える請求項５５に記載の方法。
【請求項５７】
前記ＨＡＲＱを支援する手段が、ピア・ノードへの送信のためにＭＡＣレイヤからデータ・パケットを受信する手段と、前記データ・パケットが以前に送信されているかを判定する手段とを備える請求項４７に記載の装置。
【請求項５８】
前記データ・パケットが以前に送信されていない場合に、前記ＨＡＲＱを支援する手段が、システマティック・シンボル及びパリティ・シンボルを生成するために前記データ・パケットを符号化する手段と、前記システマティック・シンボルを、送信のために前記ＰＨＹレイヤに提供する手段と、前記パリティ・シンボルの少なくとも一部を格納する手段とを備える請求項５７に記載の装置。
【請求項５９】
前記ＨＡＲＱレイヤを支援する手段が、ＭＡＣレイヤによって受信され、前記ピア・ノードが前記ＰＨＹレイヤによって送信された前記データ・パケットを正しく復号したことを示すアクノレッジメントに応じて、前記パリティ・シンボルの少なくとも一部を記憶装置から取り除く手段を更に備える請求項５８に記載の装置。
【請求項６０】
前記データ・パケットが以前に送信されている場合、前記ＨＡＲＱレイヤを支援する手段が、前記以前の送信のうちの最初の送信のためのデータ・パケットを符号化することから生成されたパリティ・シンボルの少なくとも一部を記憶装置から検索する手段と、前記パリティ・シンボルの少なくとも一部を、送信のためにＰＨＹレイヤに提供する手段とを更に備える請求項５７に記載の装置。
【請求項６１】
前記ＨＡＲＱを支援する手段が、ＭＡＣレイヤによって受信されたブロック・アクノレッジメントに応じて、前記データ・パケットが以前に送信されているかを判定する手段を備える請求項４７に記載の装置。
【請求項６２】
前記ＨＡＲＱを支援する手段が、ピア・ノードによって送信されたデータ・パケットをＰＨＹレイヤから受信する手段と、前記データ・パケットを復号する手段と、前記復号されたデータ・パケットをＭＡＣレイヤに提供する手段とを備える請求項４７に記載の装置。
【請求項６３】
前記データ・パケットが複数のシンボルを含み、前記ＨＡＲＱを支援する手段は、前記データ・パケット内のシンボルを、前記データ・パケットの１あるいは複数の以前の送信に関連付けられた任意の受信されたシンボルと結合させることによって、前記データ・パケットを復号する手段を更に備える請求項６２に記載の装置。
【請求項６４】
前記ＨＡＲＱを支援する手段が、前記データ・パケットが正しく復号されなかったことを示すＭＡＣレイヤからのインジケーションに応じて、前記データ・パケット内のシンボルを、前記データ・パケットの１あるいは複数の今後の送信と結合させるために、格納するように更に構成された請求項１７に記載の装置。
【請求項６５】
前記ＨＡＲＱを支援する手段が、前記データ・パケットが正しく復号されたことを示すＭＡＣレイヤからのインジケーションに応じて、前記データ・パケットの１あるいは複数の以前の送信に関連付けられた前記任意の受信されたシンボルを、記憶装置から取り除く手段を更に備える請求項６３に記載の装置。
【請求項６６】
前記ＨＡＲＱを支援する手段が、データ・パケットのためのＰＨＹレイヤ・ヘッダと結合されたＨＡＲＱヘッダを支援する手段を備え、前記データ・パケットが、前記ＭＡＣプロトコルに従う請求項４７に記載の装置。
【請求項６７】
前記ＨＡＲＱを支援する手段が、ピア・ノードへの送信のためのデータ・パケットをＭＡＣレイヤから受信する手段と、前記データ・パケットのためのＨＡＲＱヘッダを生成する手段とを備える請求項４７に記載の装置。
【請求項６８】
前記ＨＡＲＱヘッダが、前記データ・パケットが以前に送信された回数を示す送信数を備える請求項６７に記載の装置。
【請求項６９】
前記ＨＡＲＱヘッダが、前記データ・パケットに対応する長さを備える請求項６７に記載の装置。
【請求項７０】
処理システムによって実行可能な命令群を備える機械読取可能媒体を備える、通信のためのコンピュータ・プログラム製品であって、前記命令群は、
ＭＡＣプロトコルを使用して共有無線媒体へのアクセスを調整し、
前記共有無線媒体へのインタフェースを提供し、
前記ＭＡＣプロトコルを使用してＨＡＲＱを支援し、前記ＨＡＲＱは、ＭＡＣレイヤとＰＨＹレイヤとの間にＨＡＲＱを提供することによって支援され、前記ＨＡＲＱレイヤは、前記ＭＡＣプロトコルを使用してＨＡＲＱを支援する
ように、処理システムによって実行可能な命令群であるコンピュータ・プログラム製品。
【請求項７１】
アクセス端末であって、
ユーザ・インタフェースと、
前記ユーザ・インタフェースを支援するように構成されたアプリケーション・レイヤと、
前記アプリケーション・レイヤを支援するために、ＭＡＣプロトコルを使用して共有無線媒体へのアクセスを調整するように構成されたＭＡＣレイヤと、
前記共有無線媒体へのインタフェースを提供するように構成されたＰＨＹレイヤと、
前記ＭＡＣレイヤとＰＨＹレイヤとの間のＨＡＲＱレイヤと
を備え、前記ＨＡＲＱレイヤは、前記ＭＡＣプロトコルを使用してＨＡＲＱを支援するように構成されたアクセス端末。
【請求項７２】
アクセス・ポイントであって、
ピア・ノードのための、ネットワークへの逆送接続を支援するように構成された無線ネットワーク・アダプタと、
前記ピア・ノードとの通信を支援するために、ＭＡＣプロトコルを使用して共有無線媒体へのアクセスを調整するように構成されたＭＡＣレイヤと、
前記共有無線媒体へのインタフェースを提供するように構成されたＰＨＹレイヤと、
前記ＭＡＣレイヤとＰＨＹレイヤとの間のＨＡＲＱレイヤと
を備え、前記ＨＡＲＱレイヤは、前記ＭＡＣプロトコルを使用してＨＡＲＱを支援するように構成されたアクセス・ポイント。
【国際調査報告】
2011517162.tif 000010
2011517162.tif 000011
2011517162.tif 000012